(57)【特許請求の範囲】
【請求項１】
スプールを保管するためのスプールケースであって、前記スプール上にボンディングワイヤを巻いたスプールケースが
ベース（１）およびカバー（２）から成り、前記ベースは、円形壁を有し且つ前記スプールを受けるための空洞（３）を形成し、
前記ベース（１）およびカバー（２）がロック手段を介して互いに解放可能に固定するようになっているスプールケースに於いて、
前記ロック手段が前記ベース（１）の壁の周縁に位置し且つ偏心して作ってある溝（４）、および該溝（４）に入るように前記カバー（２）の周縁に作ってある整合段（５）を少なくとも含むことを特徴とするスプールケース。
【請求項２】
前記カバー（２）は、前記ロック手段の前記溝（４）と前記整合段（５）の間に発生した摩擦力によって、前記ベース（１）に固定することをさらに特徴とする請求項１に記載されたスプールを保管するためのスプールケース。
【請求項３】
前記ロック手段が複数の前記溝（４）および前記整合段（５）を含み、前記溝および前記整合段が前記ベースおよびカバーの周縁に沿って離間した関係に配置してあることをさらに特徴とする請求項１に記載されたスプールを保管するためのスプールケース。
【請求項４】
前記ベース（１）がその中央で内部に立上がる胴部（６）を有し、前記胴部（６）は、一端が閉じてあり且つ前記端に一体に作った隆起（７）をさらに有することを特徴とする請求項１に記載されたスプールを保管するためのスプールケース。
【請求項５】
前記カバー（２）は、前記スプールと係合するためのホルダ手段を有し、前記ホルダ手段は、互いに連結して案内隆起（９）を作る１対の変形可能部材（８）を含み、前記案内隆起（９）は、前記ベース（１）に作ってある隆起（７）にぶつかるようになっていることを特徴とする請求項１に記載されたスプールを保管するためのスプールケース。
【請求項６】
前記ベースおよび前記カバーは、それらを前記整合段（５）が前記溝（４）の端部に達するまで互いに対して回転することによって互いに解放可能に固定し且つ前記溝にぴったりと固定することをさらに特徴とする請求項１ないし請求項５の何れか１項に記載されたスプールを保管するためのスプールケース。
【請求項７】
前記カバー（２）は、前記ベースおよび前記カバーを互いに固定中、前記隆起（７）によって案内されることをさらに特徴とする請求項６に記載されたスプールを保管するためのスプールケース。
【請求項８】
前記カバー（２）およびベース（１）を互いに対して回転することによってそれらを互いから解放し、前記ホルダ手段（８）の押付けによって前記カバーを前記スプールと係合させ、前記スプールをそれと物理的に接触せずに前記スプールの空洞から持上げられるようにすることをさらに特徴とする請求項５に記載されたスプールを保管するためのスプールケース。
【請求項９】
前記スプールケースが透明プラスチックでできていることをさらに特徴とする請求項８に記載されたスプールを保管するためのスプールケース。
【発明の詳細な説明】
【技術分野】
【０００１】
本発明は、一般的にはスプールケースに関し、更に詳しくは、特に多用途で使い易いロック機構を有する、ボンディングワイヤのスプール用スプールケースに関する。本発明は、操作者が直接接触せずにスプールを扱える、スプールケースにも関する。
【背景技術】
【０００２】
ワイヤボンディングは、ダイをチップキャリヤ、リードフレーム、基板またはパッケージに接続するための相互結合をもたらす。ワイヤボンディングによれば、マイクロチップによって行うべき論理プロセスがそれぞれのピンから与えられる入力を使って可能になる。この技術で知られる基本的に３種類のワイヤボンディング・プロセス；熱圧着、超音波圧着および超音波併用熱圧着がある。熱圧着では、ダイを加熱し、金線ボンディングボールをそれに押込み、熱と圧力のために金属間結合が出来る。他方、超音波圧着は、音のエネルギーを利用し、超音波併用熱圧着では、少ないエネルギーと圧力しか要らないように、熱圧着に超音波法を加える。ワイヤボンディングの二三の主分類があり、それらはボールボンディングとウェッジボンディングである。ボールボンディングは、一般的に専ら金線で行われる、高速、全方向性プロセス用である。他方、ウェッジボンディングは、アルミニウム、金または時には銅線で行われる低速プロセス用である。
【０００３】
ボンディングワイヤは、通常スプールに巻いて保管し、次にこのスプールは、スプールケースに入れて保管する。市販のスプールケースには種々の種類がある。例えば、米国特許第６，２４１，０９４号明細書に開示してあるものは、互いに嵌ったベースとカバーを含み、このベースとカバーの少なくとも一つが、このスプールフランジの外周縁と係合出来ながら、このスプールを保持するための係合片を備えることを特徴とする。この構成の結果として、意図する物体を収容するために多数のこれらの係合片が必要である。ばね特性を有する金属材料を含む、特別な弾性を有する材料も係合片のために必要である。そのような構成および材料要件を有することから一つの特別な難題、即ち、生産プロセスが幾らか複雑になり、従って生産コストが上がることが予想される。ボンディングワイヤ用スプールケースのより簡単でより便利な構成が必要である。このスプールケースは、好ましくは簡単なロック機構を有し、更に容易で便利な解放機構を有するように構成すべきであり、それは、一つの側面で、単純な製造要件に、従って低生産コストに繋がる。それは、案内機構も持つべきであり、そうすればカバーとベースを互いに難なく嵌め合わせられる。
【発明の開示】
【発明が解決しようとする課題】
【０００４】
そのような使い易く、特に普通のプラスチック材料しか要しない、単純な構成を実現するために、ボンディングワイヤ用の改良したスプールケース構成を本発明が提案する。このスプールケースは、二つの協同部材、ベースおよびカバーを含み、それらは、ロック機構と共に設けるべきであり、そのロック機構は、溝および整合段を含み、この溝は、ベースの周囲に偏心構造に作ってあり、段は、カバーの周囲に作ってあるように提案する。これら二つの部材をロックするためには、これらの部材を互いに対して単純に廻せばよい。それを解放するために、それに便利な押付け機構が設けてある。これらの部材のロックを助けるために、案内機構も設けてある。
【０００５】
従って、本発明の目的は、特に多用途で、便利なロック手段を有する、ボンディングワイヤのスプール用ケースを提供することである。
【０００６】
本発明の他の目的は、特に弾性的で使い易いロック手段を有するスプールケースを提供することである。
【０００７】
本発明の他の目的は、スプールをそれと物理的に直接接触せずに扱えるようにする、ボンディングワイヤのスプール用スプールケースを提供することである。
【課題を解決するための手段】
【０００８】
本発明のこれらおよびその他の目的は、
スプールを保管するためのスプールケースであって、前記スプール上にボンディングワイヤを巻いたスプールケースが
ベース（１）およびカバー（２）から成り、上記ベースは、円形壁を有し且つ上記スプールを受けるための空洞（３）を形成し、
上記ベース（１）およびカバー（２）がロック手段を介して互いに解放可能に固定するようになっているスプールケースに於いて、
上記ロック手段が溝（４）および整合段（５）を含み、前記ベース（１）の壁の周縁に位置し且つ偏心して作ってある溝（４）、および該溝（４）に入るように前記カバー（２）の周縁に作ってある整合段（５）を少なくとも含むことを特徴とするスプールケースを提供することによって達成される。
【発明を実施するための最良の形態】
【０００９】
このロック手段のためにそのような溝および段を２対以上利用するのが好ましい。
一端が閉じて他端に隆起を配置した胴部を有するベースを設けるのも好ましい。
カバーがスプールホルダ手段を備えるのも好ましい。
更に、ベースとカバーを互いに反対に回転して、ロック手段の溝と段の対を互いに協同するように駆動するようにしてベースとカバーを互いに固定するのが好ましい。
【００１０】
次に、この発明の実施例を添付の図面を参照して、例としてだけ、説明する。
【実施例】
【００１１】
さて、図１を参照すると、本発明の実施例によって構成したスプールケースの断面図が示してある。一般的に、このスプールケースは、二つの部材、即ち、ベース（１）およびカバー（２）を含むように組立てることになっている。このベース（１）は、外壁（１０）および内壁（２０）を有する円筒形であるのが好ましい。このカバーもこのベースの形状と整合するように一般的に円筒形である。このベースとカバーは、互いに解放可能に結合するようになっていて、互いに固定するとその空洞（３）内にワイヤボンディングスプールを収納することができる。ベースの内壁（２０）は、一端がベースの中央で内部に立上がり且つ他端が下部領域で外壁（１０）にぶつかる胴部（６）を形成するように構成してある。図に示すように、一端が閉じた空洞（３）がこの胴部（６）と外壁（１０）の間に出来る。この空洞（３）は、スプール（図示せず）の配置を許容する寸法であるのが好ましい。この胴部の上部領域に、端壁と一体に作った隆起（７）が設けてある。この隆起は、一般的にカバー（２）をベース（１）に配置するのを助ける案内としてそこに作ってある。
【００１２】
更に図１を参照して、カバー（２）は、特に滑り嵌め取付けができるように、ベース（１）と適当に整合する寸法を有するように構成してある。カバー（２）は、互いに連結して案内隆起（９）を作る１対の変形可能部材（８）を含むホルダ手段を有するように設けてある。この案内隆起（９）は、特にベースとカバーを互いに固定するための最初のステップ中に、ベースに作ってある隆起（７）と協同するようになっている。このベースとカバーは、ロック機構という特に多用途で、弾性的で便利な手段を使って、互いに固定する。そのようなロック手段の詳細は以下で説明する。
【００１３】
次に、図２を参照する。この図に、このロック手段の機構を図解する平面図を示す。このロック手段は、少なくとも、ベース（１）の壁に作ってある溝（４）およびカバー（２）の壁に作ってある整合段（５）を含むように構成してある。この溝（４）は、その中心をベース囲い内のある点に有し、従ってその最大寸法（Ａ）で段（５）をこの溝内に配置できるようにし且つその最小寸法（Ｂ）でこのカバーのベースへの嵌め込み取付けをもたらす、滑らかな窪みを形成する。そのような溝と整合段を２対以上設けるのが好ましい。これらの溝と段を、スプールケースのそれぞれの壁上に離間して互いから等距離に配置することになっている。
【００１４】
図３は、本発明のロック手段の概念を更に明確に示す。位置（Ａ）で、段（５）は、溝（４）に自由に入れ、この瞬間に、カバー（２）はベースにしっかりと取付けられてはいない。しかし、位置（Ｂ）で、段（５）は、ベース（１）の壁と圧縮状態にあって、この作用が都合よくカバーをベースにしっかりとロックするだろう。このロック手段に発生した摩擦もそれらを互いに固定するのを助ける。これは、カバーとベースを互いに反対回転に回転することによって行うことができる。それらを解放するためには、単純にそれらを他の方向に回転する。ここで分るように、このロック機構は、一般的に全く簡単であるが実用的である。それは、複雑な機構を要さず、従来技術のそのような複雑な機構ならば、一般的に同等に複雑な製造プロセスを要するものを、本発明は、製造コストの点で節約する。
【００１５】
図１に戻って参照して、このカバーは、操作者がスプールをこのケースからボンディング機械へ移したいとき、それを保持するために使うこともできる。これは、カバーに配置してあるホルダ手段（８）を押すことによって行い、この動作がカバーをスプールと係合させる。従って、カバーを使うスプールの持上げを始めることができる。
【００１６】
本発明の実施例を多くの他の用途に組込んでもよいと信じる。本発明の好適実施例を説明したが、それに種々の変更、改作および修正を施すことが出来ることを理解すべきである。従って、この発明は、図面に示した例示発明の詳細に限定されないこと、およびそのような軽微な詳細の変形は、当業者に明白なことを理解すべきである。
【図面の簡単な説明】
【００１７】
【図１】この発明によって構成したスプールケースを示す断面図である。
【図２】本発明のスプールケースを示す平面図である。
【図３】ロック手段をよりはっきりと示す説明図である。
【符号の説明】
【００１８】
１  ベース
２  カバー
３  空洞
４  溝
５  段
６  胴部
７  隆起
８  変形可能部材
９  案内隆起
【図１】
0004764032.tif 000002
【図２】
0004764032.tif 000003
【図３】
0004764032.tif 000004